(57)【特許請求の範囲】
【請求項１】
すくなくとも電気的駆動源又は機械的駆動源のいずれか一方を備えた長箱状の錠箱と、この長箱状錠箱に水平状態に設けられかつフロントより進退自在な錠片と、この錠片の後端部に係合すると共に把手の操作力により一方向に回転して該錠片を錠箱内に引き戻す腕状係合部を有する内外のハンドルカムと、前記錠片よりも上方に位置する固定軸にその中心部が軸支された状態で併設され、かつ該中心部から上方に延在する第１係合部及び該中心部より横方向あるいは斜め方向へと延在する第２係合部を有し、前記電気的駆動源の駆動力で前記第１係合部を介して一方向に回転すると前記ハンドルカムの腕状係合部を前記第２係合部でもって係止する内外のロック部材と、これらのロック部材の前記第１係合部にそれぞれ上下方向に位置をずらして固定された内外の永久磁石と、前記第１係合部及び第２係合部の間の空間領域に配設され、かつ前記内外の永久磁石が接近した時に作動するロック部材位置検出手段とを備える錠前におけるハンドルカム用ロック部材の状態検出装置。
【請求項２】
請求項１に於いて、内外の永久磁石は、互いの極性が異なることを特徴とする錠前におけるハンドルカム用ロック部材の状態検出装置。
【請求項３】
内外の操作部材の操作力により回転することができるように軸支された内外のハンドルカムと、これら内外のハンドルカムにそれぞれ係合し、かつこれら内外のハンドルカムのいずれかによって長箱状の錠箱内へと引き戻される一つの錠片と、中央部が固定軸を介して軸支された状態で併設され、かつ該中心部から上方に延在する第１係合部が電気式駆動源の駆動片で位置変位する従動片の下端部にそれぞれ係合し、一方、それぞれの下方の第２係合部が前記内外のハンドルカムの各腕状係合部にそれぞれ係脱する内外のロック部材と、これら内外のロック部材のそれぞれの上方の第１係合部に互いに上下方向に位置をずらして配設された内外の永久磁石と、これらの永久磁石が前記電気式駆動源の駆動力によって回転する前記内外のロック部材を介してそれぞれ接近した時に、これらの永久磁石に対応する部位にそれぞれ設けられた内外用の各磁気感応スイッチがそれぞれ独立して「オン」となるロック部材位置検出手段とを備える錠前におけるハンドルカム用ロック部材の状態検出装置。
【請求項４】
請求項３に於いて、内外の永久磁石は互いの極性が異なることを特徴とする錠前におけるハンドルカム用ロック部材の状態検出装置。
【請求項５】
請求項３に於いて、ロック部材を軸支する固定軸には、錠片を施錠する錠片用ストッパー片の基端部が同軸上に軸支され、該錠片用ストッパー片は、内外のハンドルカムのいずれかによって、その施錠が解かれることを特徴とする錠前におけるハンドルカム用ロック部材の状態検出装置。
【請求項６】
請求項３に於いて、前記長箱状の錠箱内に、前記電気的駆動源と、該電気的駆動源の作動杆と水平方向に共働する駆動片と、横軸に中央部或は中央部寄りの部位が軸支された長片状の主切替えレバーと該主切替えレバーと連係する補助切替えレバーとを有する錠前の施・解錠モード切替え手段を配設し、前記長箱状の錠箱内には、さらに、前記駆動片の少なくとも一側に併設された状態で該駆動片に形成された水平方向の逃がし穴内に位置する固定軸に軸支されていると共に、下端部がハンドルロック部材の上方の第１係合部と係合或は連係しかつ該駆動片が前記駆動力で水平方向に位置変位すると前記補助切替えレバーに設けた係合突起を介して回転する従動片を設け、
前記補助切替えレバーは、その下端部に前記従動片の従動長孔及び前記駆動片の垂直長孔の両方に係合する前記係合突起、中間部に前記駆動片の垂直長孔の垂直線上の縦溝に係合する案内突起及びその上端部に前記主切替えレバーの後端部と連係する連係部を有し、前記錠箱に形成された切替え用開口から前記主切替えレバーの先端部を上下方向に切替えると、前記固定軸を基準として、前記補助切替えレバーの前記係合突起が上下方向に位置変位し、錠前の施・解錠モードが切替ることを特徴とする錠前におけるハンドルカム用ロック部材の状態検出装置。
【発明の詳細な説明】
【技術分野】
【０００１】
本発明は、錠前におけるハンドルカム用ロック部材の状態検出装置に関する。
【背景技術】
【０００２】
特許文献１は、出願人が提案したものである。特許文献１には、電気錠のスイッチ機構として非接触式の磁気感度スイッチを採用するものが記載されている。すなわち、特許文献１には、スイッチの耐久性及びスイッチの確実性・信頼性を得る目的で、「デットボルトの内端部に磁石を設け、一方、この磁石の位置に対応して、デットボルトの施錠信号及び解錠信号をそれぞれ検出するために、非接触式の磁気感度スイッチをプリント基板の内端部に水平方向に一対配設した電気錠のスイッチ機構」が開示されている。
【０００３】
また、特許文献２の段落００２５、段落００２６等と図面には、「円筒カム２０に対して角度監視手段５０が配設され、該角度監視手段５０は、前記円筒カム２０に向かい合うように上下の間隔を有して配設された２個の非接触型スイッチ５１，５２と、これらのスイッチをＯＮ、ＯＦＦさせるために前記円筒カム２０の外面の上下に固定された合計２個の作動子（永久磁石）とから成るドアロックのスイッチ機構」が開示されている。
【０００４】
さらに、特許文献３の段落００１６及び図４には、「配線基盤１７における補助リング部１８の周囲に施錠位置検出リードスイッチ４８、解錠位置検出リードスイッチ４８等を配設すること」が記載されている。
【０００５】
上記特許文献１乃至特許文献３に記載されているとように、錠前の施錠状態及び解錠状態を検出するために、非接触型の磁気感応スイッチを用いることは周知事項である。
ところで、例えば特許文献１の発明の課題は、デットボルト（本施錠片）が扉枠側の受け具に係合した施錠位置及び該デットボルトが錠箱に後退動した解錠位置を検出することを目的としたもので、例えば内外のレバーハンドル、内外のプッシュプルハンドル等の内外の操作部材をそれぞれ自由に操作して扉を開くことができるものか、それとも外の操作部材だけがロックされていて、内の操作部材はアンロック状態であり、内側からは自由に扉を開くことができるものか、それとも内外の操作部材はそれぞれ同時にロック状態であるのか、といったようなハンドルのロック状態の信号を検出するものではなかった。
【０００６】
そこで、現在、長箱状の錠箱の内部空間を有効的に活用することを前提としてハンドルのロック状態の信号を確実に検出する装置の出現が要望されている。
なお、例えば特許文献４の図１１、特許文献５の図２には、本発明の要部に関連する事項（駆動源、駆動片、従動片等）が開示されている。
【先行技術文献】
【特許文献】
【０００７】
【特許文献１】特開２００６−１３２０８８号公報
【特許文献２】特開２００３−７４２３１号公報
【特許文献３】特開２００３−７４２３０号公報
【特許文献４】特開２００９−２７０３０７号公報
【特許文献５】特開２００９−２５６９０７号公報
【発明の概要】
【発明が解決しようとする課題】
【０００８】
本願発明の所期の目的は、長箱状の錠箱の内部空間を有効的に活用することを前提として、ハンドルのロック状態の信号を確実に検出する装置を提供することである。第２の目的は、内外の操作部材のロック及びアンロック状態の態様を、誤動作することがなく確実に検出することである。第３の目的は、錠片をハンドルカム部材で直接後退動させる錠前に適用することができることである。その他、電気錠に適用することができることである。
【課題を解決するための手段】
【０００９】
本発明の錠前におけるハンドルカム用ロック部材の状態検出装置は、すくなくとも電気的駆動源又は機械的駆動源のいずれか一方を備えた長箱状の錠箱と、この長箱状錠箱に水平状態に設けられかつフロントより進退自在な錠片と、この錠片の後端部に係合すると共に把手の操作力により一方向に回転して該錠片を錠箱内に引き戻す腕状係合部を有する内外のハンドルカムと、前記錠片よりも上方に位置する固定軸にその中心部が軸支された状態で併設され、かつ該中心部から上方に延在する第１係合部及び該中心部より横方向あるいは斜め方向へと延在する第２係合部を有し、前記電気的駆動源の駆動力で前記第１係合部を介して一方向に回転すると前記ハンドルカムの腕状係合部を前記第２係合部でもって係止する内外のロック部材と、これらのロック部材の前記第１係合部にそれぞれ上下方向に位置をずらして固定された内外の永久磁石と、前記第１係合部及び第２係合部の間の空間領域に配設され、かつ前記内外の永久磁石が接近した時に作動するロック部材位置検出手段とを備えることを特徴とする。
【００１０】
また本発明の錠前におけるハンドルカム用ロック部材の状態検出装置は、内外の操作部材の操作力により回転することができるように軸支された内外のハンドルカムと、これら内外のハンドルカムにそれぞれ係合し、かつこれら内外のハンドルカムのいずれかによって長箱状の錠箱内へと引き戻される一つの錠片と、中央部が固定軸を介して軸支された状態で併設され、かつ該中心部から上方に延在する第１係合部が電気式駆動源の駆動片で位置変位する従動片の下端部にそれぞれ係合し、一方、それぞれの下方の第２係合部が前記内外のハンドルカムの各腕状係合部にそれぞれ係脱する内外のロック部材と、これら内外のロック部材のそれぞれの上方の第１係合部に互いに上下方向に位置をずらして配設された内外の永久磁石と、これらの永久磁石が前記電気式駆動源の駆動力によって回転する前記内外のロック部材を介してそれぞれ接近した時に、これらの永久磁石に対応する部位にそれぞれ設けられた内外用の各磁気感応スイッチがそれぞれ独立して「オン」となるロック部材位置検出手段とを備えることを特徴とする。
【発明の効果】
【００１１】
（ａ）各独立請求項（請求項１と請求項３と請求項６）に記載の発明は、長箱状錠箱の内部空間を有効的に活用することを前提として、ハンドルのロック状態の信号を確実に検出することができる。また錠片をハンドルカム部材で直接後退動させる錠前に適用することができる。
（ｂ）請求項２、請求項４に記載の発明は、内外の永久磁石は、互いの極性が異なるので、前記（ａ）の効果の他、内外の操作部材のロック及びアンロック状態の態様を、誤動作することがなく確実に検出することができる。
（ｃ）請求項５に記載の発明は、ハンドルのロック状態の信号を介して錠前の施・解錠状態を確認することができる。
（ｄ）請求項６に記載の発明は、電気的駆動源の作動杆が長箱状錠箱の後壁側を指向していても、錠前のモードを切替えることができる。
【図面の簡単な説明】
【００１２】
図１乃至図１３は本発明の第１実施形態を示す各説明図である。図１４乃至図１８は本発明の第２実施形態、第３実施形態等を示す各概略説明図。
【図１】本発明を適用する錠前の一例を示し、ロック部材がハンドルカム部材をロックしている状態の概略説明図。
【図２】通電時施錠モードの概略説明図。
【図３】駆動片と従動片の説明図。
【図４】主切替えレバーと補助切替えレバーの説明図。
【図５】図２のモードに於いて、電源をＯＦＦにし、解錠状態になった概略説明図。
【図６】要部（駆動片、従動片、補助切替えレバー）の平面視からの概略説明図。
【図７】要部（内外の従動片、内外のロック部材、内外のハンドルカム）の斜視からの概略説明図。
【図８】内外のロック部材の斜視からの概略説明図。
【図９】極性が異なる内外の永久磁石と、これに対応するロック部材位置検出手段の内外用の各磁気感応スイッチの概略説明図。
【図１０】内外のロック部材が内外のハンドルカムにそれぞれ係合している状態の説明図（内外用の各磁気感応スイッチがそれぞれＯＮ）。
【図１１】内のロック部材が内のハンドルカムから外れたアンロックの状態の説明図（内用の磁気感応スイッチがＯＦＦ）。
【図１２】外のロック部材が外のハンドルカムから外れたアンロックの状態の説明図（外用の磁気感応スイッチがＯＦＦ）。
【図１３】内外のロック部材が内外のハンドルカムからそれぞれ外れたアンロックの状態の説明図（内外用の各磁気感応スイッチがそれぞれＯＦＦ）。
【図１４】本発明の第２実施形態の概略説明図。
【図１５】第２実施形態の要部の説明図。
【図１６】第３実施形態の概略説明図。
【図１７】第４実施形態の概略説明図。
【図１８】第５実施形態の概略説明図。
【発明を実施するための最良の形態】
【００１３】
（１）本発明を適用する錠前
図１は、本発明のハンドルカム用ロック部材の状態検出装置Ｙを備えた錠前Ｘの一例で、ロック部材１３がハンドルカム部材３をロックしている状態の概略説明図である。ロック部材１３がハンドルカム部材３を係止している場合には、ロック部材位置検出手段１８は、図示しないハンドルのロック状態の信号を確実に検出することができる。
【００１４】
まず、錠前Ｘの構成部材を説明する。この錠前Ｘは幾つかの機構を内装する長箱状の錠箱１を有し、該長箱状錠箱１は、その上端部側を省略しているものの、フロント１ａ、裏板１ｂ、後壁１ｃ、上壁１ｄ、底壁１ｅでもって形成されている。フロント１ａは裏板１ｂから取り外すことができ、該フロント１ａを裏板１ｂから取り外すと、裏板１ｂの開口部に設けた後述の回転自在な可動枠体８２及び上下方向に切替え可能な主切替えレバー６６の先端部６６ａが見える（図２参照）。なお、本発明は主切替えレバー６６等を含む切替え手段６５は、発明の本質的事項ではない。切替え手段６５は発明の実施環境を理解する意味で記載している。
【００１５】
さて、本実施形態の細長状錠箱１は、扉（例えばガラス扉）の幅の狭い縦框ｃに取り付けられる。したがって、この錠箱１は、例えば、前記狭縦框の幅に対応して形成されている。
【００１６】
次に、２は錠箱１に進退動自在に設けられた錠片（例えば、デッドラッチ、ラッチボルト、錠ボルトなど称される係合部材）で、該錠片２はその後端部２ａにハンドルカム部材３と係合する貫通状あるいは凹所状の不番の係合部を有する。ハンドルカム部材３は、その基端部３ａが錠片２よりも下方に位置する第１固定軸４（実施形態によってはハンドル軸）に軸支され、該基端部３ａの下側には、図示しない内外の操作部材（例えば、プッシュ・プルハンドル）の内端部にそれぞれ設けられた内外の突片５，６と係合する短片状第１係合部３ｂが半径外方向に延在している。また該基端部３ａの上側には、腕状第２係合部３ｃが延在し、該腕状第２係合部３ｃは前述した錠片２の後端部２ａの係合部と貫通状態に係合する。そして、腕状第２係合部３ｃの錠片２から突出する先細り状先端部３ｄには、小さなローラ７が回転自在に設けられている。
【００１７】
１１は、錠片２よりも多少上方に位置する第２固定軸１２に軸支された錠片用ストッパー片で、この錠片用ストッパー片１１の下辺に形成した下向き弧状の切欠状係合部には、前述したハンドルカム部材３の小ローラ７が係脱する。
【００１８】
１３は、錠片用ストッパー片１１と同様に前記第２固定軸１２に軸支されたハンドルカム部材用ロック部材で、このロック部材１３は、いわば、右手の親指と人差指とを左向きに開いた格好のＬ型状に形成され、錠片２の施錠時、前記右手の親指に相当する、或は左右方向（斜め方向も含む）を指向する下方の第２係合部１３ｂは、ハンドルカム部材３の先細り状先端部３ｄに係合して該ハンドルカム部材３の回転を阻止する。
【００１９】
一方、前記人差指に相当する、或は上方向を指向する上方の第１係合部１３ａの上端部には、水平方向に突出する可動ピン１４が設けられ、該可動ピン１４は後述の従動片６１の指先状下端部６１ｃと係合する。１５は中央部が第２固定軸１２に巻装された状態でロック部材１３をハンドルカム部材３に係合（ロック）する方向に常時付勢するバネ部材である。
【００２０】
ここで、説明の便宜上、図１を参照にして、図示しないレバーハンドル、プッシュブルハンドル等の操作部材の操作力によって、前述の錠片用ストッパー片１１がどのように作動するかについて簡単に説明する。
【００２１】
上記構成に於いて、例えば外側の操作部材を操作すると、外側の突片６がハンドルカム部材３の短片状第１係合部３ｂの側面を押圧し、また同様に、内側の操作部材を操作すると、内側の突片５がハンドルカム部材３の短片状第１係合部３ｂを押圧する。図１では、内外の突片５、６のいずれかが操作部材の操作力によって左方向へと水平移動し、これによりハンドルカム部材３が第１固定軸４を支点に反時計方向である矢印Ａ方向へと回転することになる。
【００２２】
したがって、ハンドルカム部材３に対するロック部材１３が存在しない限り、ハンドルカム部材３の小ローラ７が錠片用ストッパー片１１の弧状切欠状係合部を滑動して該錠片用ストッパー片１１を、第２固定軸１２を支点にして上方へと押し上げるので、錠片用ストッパー片１１の係合先端部は錠片２の上辺に段差状に形成した被係合部から矢印Ｂの上方方向へと離れ、ハンドルカム部材３は矢印Ａの時計方向へと回転可能となり、その結果、錠片２は、ハンドルカム部材３の腕状第２係合部３ｃを介して矢印Ｃの方向へと後退動可能である。
【００２３】
しかしながら、図１の施錠状態では、ハンドルカム部材用ロック部材１３の下方の第２係合部１３ｂがハンドルカム部材３の先細り状先端部３ｄに係合し、該ハンドルカム部材３の回転を阻止している。そこで、錠片２を施錠状態から解錠状態にするためには、その前提条件として、後述の電気的駆動源（例えばソレノイド）５１の駆動力により、ハンドルカム部材３に対するロック部材１３のロック状態が解消する必要がある。
【００２４】
そこで、本発明の主要部及び該主要部に関連する事項を説明する。なお、縦長状錠箱１の内部空間には、シリンダ錠又はサムターン側の操作力により回転するダルマを含む付勢手段、ダルマの回転力を直線運動に変換する動力変換部材、ロック部材のロック状態の解消を一時的に支持する維持片、該維持片等を案内する案内手段等の多数の部材が組み込まれているが、本発明の限定要件に関係しないので、これらの説明は割愛する。
【００２５】
（２）本発明の主要部に関連する事項
図２乃至図６を参照にして、本発明の主要部に関連する事項を説明する。なお、本発明の本発明の主要部に関連する事項の説明に当って、電気的駆動源５１、該駆動源に連結される駆動片５５及び従動片６１の具体的構成は、特許文献４、特許文献５等に記載によって周知事項なので、該周知事項の詳細は極力割愛し、その相違点を指摘する。
【００２６】
また、図１、図２等では、一つの駆動片５５に対して手前側に一つの従動片６１を、一方、該駆動片の向こう側に他の従動片を省略して、一つの切替え手段（主切替えレバーと補助切替えレバー）を描いているが、これは発明の技術的思想を理解するために、便宜上、他の従動片及び切替え手段を省略している。
【００２７】
実施化レベルでは、例えば図６で示すように、一つの駆動片５５に、一つの従動片６１（この実施形態の場合には、下端部側に内外のロック部材１３の上方の第１係合部１３ａ、１３ａに係合する二股状の係合部が形成されている。）、又は内外の従動片６１、６１が存在し、また、一つの従動片６１又は内外の従動片６１、６１にそれぞれ係合するように内外の切替え手段の補助切替えレバー７０、７０の一部が前記一つの駆動片５５内に併設状態に入り込んでいる。
【００２８】
したがって、図７で示すように、内外の従動片６１、６１がそれぞれ係合するロック部材１３、１３も内外に独立して存在し、これら内外のロック部材１３、１３がそれぞれ係脱するハンドルカム部材３、３も内外に独立して存在する。
【００２９】
まず図２は、通電時施錠モード（Ｒモード）の概略説明図である。これに対して、図５は、前記Ｒモードに於いて、電源をＯＦＦにし、解錠状態になった概略説明図である。特許文献４、特許文献５等の記載されているように、通電時施錠モード（Ｒモード）以外に通電時解錠モード（Ｔモード）等の態様も存在するが、本実施形態では、通電時施錠モード（Ｒモード）を例にして説明する。
【００３０】
図２のＲモード、及び図示しないＴモードの各態様は、特許文献４や特許文献５と同様に、「非通電状態」の場合に於いて、それぞれ電気信号を印加した時に、駆動源５１の作動杆５２が、復帰用圧縮バネ５３のバネ力に抗して矢印方向へと伸縮したことを示す。
【００３１】
したがって、図５のＲモードの場合に於いて、電源が「ＯＦＦ」になれば、駆動源５１の作動杆５２は、復帰用圧縮バネ５３のバネ力によって矢印方向とは反対方向に伸縮する。実施形態では、駆動源５１は長箱状錠箱１の内部空間の略中央部に固定的に横設され、該駆動源５１の作動杆５２は、錠箱１の後壁１ｃに対して水平状態に指向している（特許文献４等と異なる点）。なお、特許文献４等では、さらに、アンチパニックモード（Ａモード）についても言及をしているが、もちろん、本発明の実施形態に該Ａモードの切替え手段等を加味しても良い。
【００３２】
さて、駆動源５１は電磁プランジャを採用している。もちろん、電磁プランジャに代えて駆動モータ、伝導歯車等を用いることもできる。特許文献４に記載されているように、電磁プランジャのソレノイドに電気信号を印加することで、その作動杆５２は水平方向に所定量移動する。駆動片（特許文献４の図１１の駆動コネクタ１４７と同様）５５は、全体の縦断面形状がピストル形状であり、握り部に相当の横方向に突出する連結部５５ａは、作動杆５２の突出先端部に連結されている。したがって、駆動片５５は該駆動源５１の作動杆５２と共働する。
【００３３】
この駆動片５５が特許文献４の駆動コネクタ１４７と主に異なる所は、垂直長孔５６を有する縦長駆動板部分（側壁）５５ｂの上端部の一側に、該垂直長孔５６の垂直線上に縦溝５７が形成されている点である（図３参照）。また、前記駆動片５５が水平方向に所定量伸縮動するのを許容する比較的大径の逃がし穴５８が前記垂直長孔５６に連通形成され、かつ該逃がし穴５８を横方向の固定軸６０が遊びを有して貫通している点である。
【００３４】
次に図３は、駆動片５５と従動片６１の説明図である。従動片６１は、駆動片５５の少なくとも一側面（垂直側面）に併設された状態で駆動片５５の逃がし穴５７を貫通する固定軸６０に回転自在に軸支されている。この従動片６１は、特許文献４と同様に軸孔６２を有する中心部位６１ａと、該中心部位に耳状に形成されていると共に、くの字形状の従動長孔６３を有する連設部位６１ｂと、該連設部位よりも下方に延在する指状下端部（連結爪１６１に相当）６１ｃとから成る点で、この点は特許文献４の図１１の切替えカム１５９と略同様であり、また駆動源５１の駆動力で駆動片５５と共に水平方向に位置変位する。
【００３５】
しかしながら、この従動片６１が特許文献４の切替えカム１５９と異なる点は、該従動片６１の指状下端部（下端係合部）６１ｃは下方を指向し、ハンドルロック部材１３の上方向の第１係合部１３ａの可動ピン１４と係合或は連係する点である。
【００３６】
次に図４は、切替え手段６５を構成する主切替えレバー６６と補助切替えレバー７０の説明図である。切替え手段６５は、少なくとも内外用に一対存在する。したがって、前述したように、内外の補助切替えレバー７０は、例えばそれぞれ内外の従動片６１を介して駆動片５５の両側面に併設される（図６）。なお、一つの駆動片５５の大きさや形態は、内外の従動片の形状・構造を考慮して適宜に設計される。
【００３７】
しかして、図４、図５を参照にすると、切替え手段６５は、その先端部６６ａが錠箱１の裏板１ｂに形成した開口に直接、又は裏板１ｂの開口に矩形状の支持枠８０が固定的に装着されている（実施形態）場合には、該支持枠８０の開口８１内に位置（裏板１ｂの開口に間接的に位置）し、かつ中央部或は中央部寄りの部位６６ｂが横軸６７に軸支された長片状の主切替えレバー６６と、該主切替えレバーの後端部６６ｃと連係部（係合突起、係合穴）を介して連係する補助切替えレバー７０とから成り、前記補助切替えレバー７０は、その下端部７０ａに従動片６１の従動長孔６３及び駆動片５５の垂直長孔５６の両方に係合する係合突起７１、中間部に前記駆動片５５の垂直長孔５６の垂直線上に形成された縦溝５７に係合する案内突起７２及び上端部に連係長孔７３をそれぞれ有する。そして、望ましくは、補助切替えレバー７０は、略直角状体のアングル形状に形成される。
【００３８】
ところで、前記支持枠８０には、図５で示すように、上端部が軸支され、かつ切替えられた主切替えレバー６６の先端部６６ａを選択的に支持する格子状可動枠体８２が設けられている。この格子状可動枠体８２及び前記長片状の主切替えレバー６６は公知事項である（特開２００３−２３９５８６）が、該公知事項の切替えレバーと主に異なる事項は、本願発明の切替え手段６５は新規な補助切替えレバー７０が存在する点である。なお、主切替えレバー６６に設けたリクック片６６ｄや錠箱１内に設けられたクリック感用の突起部分８５は公知事項なので、詳細な説明は割愛する。
【００３９】
（３）本発明の主要部
本発明の主要部は、ハンドルカム用ロック部材の状態検出装置Ｙ（以下、「状態検出装置Ｙ」という。）である。この状態検出装置Ｙは、すくなくとも電気的駆動源５１又は機械的駆動源の一方を備えた長箱状の錠箱１と、この長箱状錠箱に水平状態に設けられかつフロント１ａより進退自在な錠片２と、この錠片の後端部２ａに係合すると共に、図示しない把手の操作力により一方向に回転して該錠片２を錠箱内に引き戻す腕状係合部３ｃを有するハンドルカム３と、前記錠片２よりも上方に位置する固定軸１２にその中心部が軸支された状態で併設され、かつ該中心部から上方に延在する第１係合部１３ａ及び該中心部より横方向あるいは斜め方向へと延在する第２係合部１３ｂを有し、前記駆動源の駆動力で前記第１係合部を介して一方向に回転すると、前記ハンドルカム３の腕状係合部３ｃを前記第２係合部１３ｂでもって係止するロック部材１３と、このロック部材の前記第１係合部１３ａに固定された永久磁石（１６又は／及び１７）と、前記第１係合部１３ａ及び第２係合部１３ｂの間の空間領域に配設され、かつ前記永久磁石が接近した時に作動するロック部材位置検出手段１８とを備える。
【００４０】
そこで、特に、図７乃至１３を参照にして、内外のロック部材１３、１３を有する第１実施形態を例にして説明する。第１実施形態では、一つの電気的駆動源５１と、一つの或は内外の従動片６１、６１と、内外のロック部材１３、１３と、内外の永久磁石１６、１７と、一つのプリント基板に配設された内外用の磁気感応スイッチ１８ａ、１８ｂを有するロック部材位置検出手段１８と、一つの錠片２と、内外のハンドルカム３、３が存在する。
【００４１】
これらの部材に、望ましくは、さらに、図１、図６等で示すように、前記一つの駆動片５５の一対の側壁５５ｂ、５５ｂに形成された縦溝５７，５７に内外の短い案内突起７２、７２がそれぞれ係合すると共に、内外の長い係合突起７１、７１が前記駆動片５５の側壁５５ｂ、５５ｂに形成された垂直長孔５６、５６にそれぞれ係合する内外の補助切替えレバー７０、７０と、前記ロック部材位置検出手段１８が検出した検出信号を貰う制御部２０が加味され、前記内外の補助切替えレバー７０、７０は、錠箱１のフロント裏板に形成された開口に直接又は間接的にその先端部が位置する内外の主切替えレバー６６，６６の後端部にそれぞれ連係する。
【００４２】
付言すると、本発明の状態検出装置Ｙは、内外のハンドル操作部材の操作力により独立に回転することができるように軸支４された内外のハンドルカム３、３と、これら内外のハンドルカムにそれぞれ係合し、かつこれら内外のハンドルカムのいずれかによって錠箱１内へと引き戻される一つの錠片２と、中央部が固定軸１２を介して軸支されていると共に、上方の第１係合部１３ａが一つの駆動源５１の駆動片５５で位置変位する一つの或は内外の従動片６１、６１の指状下端部６１ｃ、６１ｃにそれぞれ係合し、一方、それぞれの下方の第２係合部１３ｂ、１３ｂが前記内外のハンドルカム３、３の各腕状係合部３ｃ、３ｃにそれぞれ係脱（ロックとアンロック状態）する内外のロック部材１３、１３と、これら内外のロック部材のそれぞれの上方の第１係合部１３ａ、１３ａの一側に形成された切欠部分１９，１９に互いに上下方向に位置をずらして配設され、かつ互いの極性が異なる内外の永久磁石１６，１７と、これらの永久磁石が前記駆動源５１の駆動力によって回転する前記内外のロック部材１３、１３を介してそれぞれ接近した時に、これらの永久磁石１６，１７に対応する部位にそれぞれ設けられた内外用の各磁気感応スイッチ１８ａ、１８ｂがそれぞれ独立して「オン（作動）」となるロック部材位置検出手段１８とを備えている。そして、前記ロック部材位置検出手段１８が検出した検出信号は、錠前の内外部に配設された制御部（ＩＣ）２０に入力され、電気錠として用いることができる。
【００４３】
そこで、図９は極性が異なる内外の永久磁石と、これに対応するロック部材位置検出手段の内外用の各磁気感応スイッチの概略説明図であり、図１０乃至図１３は、内外のハンドル操作部材が「自由」か、それとも「不自由」の態様を示している。
【実施例】
【００４４】
実施形態では、錠前Ｘの細部的事項、例えばプッシュプルハンドル、レバーハンドル等の操作部材、該操作部材用復帰バネ、錠片用案内手段、固着具等は省略してある。また、錠前のフロント裏板部から手動で錠前のモードを簡単、かつ確実に切替えることができる次世代型の施・解錠モード切替え装置についての説明も省略してある。その他、本発明の特定要件に関係のない事項も割愛している。
【００４５】
次に、図１４乃至図１８は本発明の第２実施形態、第３実施形態等を示す各概略説明図である。第１実施形態とこれら各実施形態と同一の部分の説明は割愛する。
図１４及び１５で示す第２実施形態が第１実施形態と主に異なる事項は、（ａ）切替え手段６５が発明の特定要件ではない点、（ｂ）駆動片５５Ａの形状及び構造が異なると共に、該下端部に横方向に突出する係合突起７１が設けられている点、（ｃ）従動片６１Ａの形状及び構造が異なると共に、耳状連設部位に前記係合突起７１が係合する比較的短い従動長孔６３が形成されている点である。
【００４６】
図１６で示す第３実施形態が第１実施形態、或は前記第２実施形態と主に異なる事項は、（あ）従動片が存在せず、電気的駆動源５１の作動杆５２の板状突出先端部５２ａが直接ハンドル用ロック部材１３Ａの第１係合部１３ａに係合する点、（い）ハンドル用ロック部材１３Ａの第１係合部１３ａが第２係合部１３ｂよりも長い長杆状に形成され、電気的駆動源５１の作動杆５２の板状突出先端部５２ａまで延在している点である。
【００４７】
図１７で示す第４実施形態が第１実施形態、或は前記第２実施形態、或はまた前記第３実施形態と主に異なる事項は、（イ）駆動源５１Ａが機械式駆動源である点、付言すると、室内側のサムターン装置又は／及び室外側のシリンダ装置である点。（ロ）したがって、駆動片５５Ｂはサムターン装置又はシリンダ装置の回転可能なダルマの半径外方向に延在する係合腕であり、該係合腕５５Ｂの先端部に係合突起７１が設けられている。（ハ）であるから、一つの或は内外の従動片６１Ｂは、機械的駆動源５１Ａの駆動力によって一方向に回転し、ハンドル用ロック部材１３のロックを解く。
【００４８】
最後に図１８で示す第５実施形態が第１実施形態、前記第２実施形態等と主に異なる事項は、（Ａ）第４実施形態と同様に駆動源５１Ａが機械式駆動源である点、付言すると、第４実施形態と同様に、室内側のサムターン装置又は／及び室外側のシリンダ装置である点。（Ｂ）従動片が存在せず、機械式駆動源５１Ａのダルマの半径外方向に延在する係合腕５５Ｂが直接ハンドル用ロック部材１３の第１係合部１３ａに係合する点である。なお、各図面に於いて、符号９は、錠片２を突出方向に付勢する付勢手段である。
【００４９】
以上の各実施形態も、第１実施形態と同様に、部品点数を少なくして長箱状錠箱の内部空間を有効的に活用することができる。
【産業上の利用可能性】
【００５０】
本発明は、錠前や建具の分野で利用される。
【符号の説明】
【００５１】
Ｘ…錠前、Ｙ…ハンドルカム用ロック部材の状態検出装置、１…錠箱、１ｂ…裏板、２…錠片、３…内外のハンドルカム部材、４…支軸、５…内側の突片、６…外側の突片、１１…錠片用ストッパー片、１２…固定軸、１３、１３Ａ…ハンドル用ロック部材、１３ａ…第１係合部、１３ｂ…第２係合部、１５…バネ部材。１６，１７…内外の永久磁石、１８…ロック部材位置検出手段、１８ａ、１８ｂ…内外用の磁気感応スイッチ、１９…内外の切欠部分、５１、５１Ａ…駆動源、５２…作動杆、５３…復帰用圧縮バネ、５５、５５Ａ、５５Ｂ…駆動片、５６…垂直長孔、５７…縦溝、５８…逃がし穴、６０…固定軸、６１、６１Ａ、６１Ｂ…一つの或は内外の従動片、６１ｃ…指状下端部、６３…従動長孔、６５…切替え手段、６６…主切替えレバー、７０…補助切替えレバー、７１…係合突起、７２…案内突起、７３…連係部（連係長孔）。  
【図１】
0005926014.tif 000002
【図２】
0005926014.tif 000003
【図３】
0005926014.tif 000004
【図４】
0005926014.tif 000005
【図５】
0005926014.tif 000006
【図６】
0005926014.tif 000007
【図７】
0005926014.tif 000008
【図８】
0005926014.tif 000009
【図９】
0005926014.tif 000010
【図１０】
0005926014.tif 000011
【図１１】
0005926014.tif 000012
【図１２】
0005926014.tif 000013
【図１３】
0005926014.tif 000014
【図１４】
0005926014.tif 000015
【図１５】
0005926014.tif 000016
【図１６】
0005926014.tif 000017
【図１７】
0005926014.tif 000018
【図１８】
0005926014.tif 000019